【事件の表示】
　特願２０１５−５２４２１６「耳珠下耳ユニット」拒絶査定不服審判事件〔平成２６年　１月３０日国際公開、ＷＯ２０１４／０１７９２２、平成２７年　８月　６日国内公表、特表２０１５−５２３０３９〕について、次のとおり審決する。
【結　論】
　本件審判の請求は、成り立たない。
【理　由】
第１　手続の経緯
　本願は、２０１３年（平成２５年）７月２９日（優先権主張外国庁受理　２０１２年（平成２４年）７月２７日　欧州特許庁）を国際出願日とする出願であって、その手続の経緯は、概略、以下のとおりである。
　平成２９年　４月２０日：拒絶理由通知
　平成２９年１０月２０日：意見書
　平成２９年１０月２０日：手続補正書
　平成３０年　３月１９日：拒絶査定
　平成３０年　７月２３日：審判請求
　令和　１年　６月２１日：拒絶理由通知
　令和　１年１２月２４日：意見書
　令和　１年１２月２４日：手続補正書
第２　本願発明
　本願の請求項１ないし７に係る発明は、令和１年１２月２４日付け手続補正書によって補正された特許請求の範囲の請求項１ないし７に記載された事項により特定されるとおりのものであるところ、その請求項１に係る発明（以下、「本願発明」という。）は、次のとおりである。
　なお、符号（Ａ）〜（Ｅ）は、説明のために当審において付与したものであり、以下、構成Ａ〜構成Ｅと称する。
（Ａ）耳珠下（sub-tragus）耳ユニットであって、
（Ｂ）耳に対して前記耳ユニットの安定着用を提供するように構成されたアンカー（２００）と、
（Ｃ１）音を提供するように構成された変換器を備えていて前記アンカーへ接続されている聴音要素（３５０）と、を備えていて、
（Ｃ２）前記聴音要素に開きが設けられている、
（Ａ）耳珠下耳ユニット（１００）において、
（Ｄ）前記耳ユニットが耳甲介（２４）と耳珠（２１）を有する耳の中へ位置付けられたとき、前記開き（３５２、３５６）が、前記耳珠（２１）によって少なくとも部分的に覆われた耳甲介（２４）の一部であって耳珠（２１）のすぐ内側である耳珠下領域（２８）に進入するように構成され、
（Ｅ）前記開きは、外耳道への開口部に面する、
（Ａ）ことを特徴とする、耳珠下耳ユニット。
第３　拒絶の理由
　令和１年６月２１日付けで当審が通知した拒絶理由のうち理由２の請求項１に係る発明の拒絶の理由の概要は、次のとおである。
　本件出願の請求項１に係る発明は、その出願前に日本国内又は外国において頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　　記
引用文献１：特開２００２−５８０８６号公報
引用文献２：特開昭６０−１７３９９５号公報
引用文献３：実願昭５８−１３３３５９号（実開昭６０−４０１８７号）のマイクロフィルム（周知技術を示す文献）
第４　引用文献の記載及び引用発明
１　引用文献１の記載
　上記引用文献１には、以下の事項が記載されている（下線は、当審で付したものである。以下同じ。）。
「【００１１】
【発明の実施の形態】以下、本発明に係るイヤホンカバーを図面で詳述する。
図１
（ｃ）はイヤホンに装着時のイヤホンカバー正面図である。
【００１２】
図２（ａ），（ｂ）に示す如くイヤホンは電気音響変換素子３が収納された
ハウジング５と
コード保持部７と外部接続用コード９とを有し
【００１３】図２（ｃ）はイヤホンに装着する従来のイヤホンカバーであり、従来のイヤホンカバー２４のハウジング挿入部１０ａを、前記図２（ａ），（ｂ）のイヤホン１のハウジング５の一端開放側より、被覆する如くして装着する。そして、装着状態となったイヤホンカバー２４とイヤホン１の一体型を耳甲介腔に嵌合する。尚、従来のイヤホンカバー２４の素材はポリウレタンやスポンジ素材が一般的である。
【００１４】前記従来のイヤホンカバー２４に本実施の形態では係止部材４が設けられている。その際ハウジング保持部１４、出力ホール８を形成する材質はシリコンラバー等の軟質部材の適用が望ましい。尚、出力ホールの形状は、種々変形、変更できる。この係止部材４は、耳介１１の略中心である耳甲介腔１３より耳甲介舟１５の後部１５ａに略円弧状に延び、先端４ａが耳甲介舟１５の前部１５ｂの側頭部に近接する側の凹部１７に嵌合されるようになされている。この時、係止部材４の基端から先端にかけての何れかの個所が、凸部１５ｄの下側１５ｇを押圧することにより、係止部材４の嵌合がなされる。また、係止部材４の先端４ａが外方に湾曲されている。尚、係止部材４の先端４ａ側を外方に湾曲されるものに限定されず、内方に湾曲されることもある。これらの場合、先端４ａが外側に湾曲されれば、先端４ａは延設部１５ｅもしくは前部１５ｂ付近の内側の壁面を押圧し、また先端４ａが内側に湾曲されれば凹部１７を押圧することで、ハウジング５を耳甲介腔１３に密着させることができる。
【００１５】前記、
図１（ａ），（ｂ）のイヤホンカバー２における係止部４の構造はハウジング保持部１４、及び出力ホール８を構成するシリコンラバー等の軟質部材にて、単一構成の一体化として、係止部４を形成し、
【００１６】一般的に、耳介は、図４（ａ），（ｂ）に示す如く、外耳道としての内端に鼓膜が形成された外耳道１２と、この外耳道１２と連通する耳甲介腔１３と、この耳甲介腔１３の上部の耳甲介腔１５とを備え、下部には耳朶１６が形成されている。この耳甲介舟１５の前部１５ｂの凹部１７は耳甲介舟１５の上端の壁部１５ｃより下方に位置する略円弧状の凸部１５ｄの下部に形成され、また凹ぶ１７の前端１７ａは耳甲介舟の１５の上端の壁部１５ｃの側頭部に近接する側の延接部１５ｅで被覆されている。前記凹部１７の下部で耳甲介腔１３の上部に小突起１５ｆが形成され、また耳甲介腔１３は外耳道１２に近接するに従い奥深くなるように形成されている。
【００１７】図１（ａ）、（ｂ）の
イヤホンカバー２をイヤホン１のハウジング５の一端開放側からハウジング挿入口１０を当てがい、ハウジング５を被覆する如くして装着する。
係止部材４の先端４ａを耳甲介舟１５の前部１５ｂの側頭部に近接する側の凹部１７に嵌合させて係止状態とした後、耳甲介腔１３にハウジング５を挿入することにより、図１（ｃ）のカバー装着後のイヤホンが耳介１１に取り付けられる。
【００１８】
これにより、
ハウジング５が耳甲介腔１３よりずれたり脱落することがない。また、ハウジング５を無理に押し込むことなくハウジング５を耳甲介腔に係止することができる。
【００１９】また、イヤホンカバー２をハウジング５に装着した後、イヤホンカバー２がハウジング５を中心に大きく回動することはない。このことは、前述の如くイヤホンカバー２のハウジング保持部１４、出力ホール８を形成する材質をシリコンラバー等の軟質部材を用いることにより、樹脂などで形成されるハウジング５に対して、密着、係止状態になることから、明らかである。」
「【図面の簡単な説明】
【図１】本発明に係るイヤホンカバーを示すもので、（ａ）は側面図、（ｂ）は正面図、（ｃ）はイヤホンに装着後の正面図。
【図２】従来のイヤホン及びイヤホンカバーを示すもので、（ａ）は側面図、（ｂ）は使用状態の正面図、（ｃ）は従来のイヤホンカバーの正面図。
【図３】本発明に係るイヤホンカバーの係止部材の異なる実施の形態、及び係止部材の構造を夫々示すもので、（ａ）〜（ｆ）は係止部材の先端の一部正面図。（ｇ）〜（ｉ）は係止部材の構造の正面図。
【図４】本発明に係るイヤホンカバーを示すもので（ａ）は使用状態の正面図、（ｂ）は耳介の一部拡大正面図。
【符号の説明】
１　　　イヤホン
２　　　イヤホンカバー
３　　　電気音響変換素子
４　　　係止部
４ａ　　先端
４ｂ　　基端
４ｃ　　突出部
５　　　ハウジング
６　　　保護板
７　　　コード保持部
８　　　出力ホール
９　　　外部接続用コード
１０　　ハウジング挿入口
１０ａ　ハウジング挿入部
１１　　耳介
１２　　外耳道
１３　　耳介甲腔
１４　　ハウジング保持部
１５　　耳甲介舟
１５ａ　後部
１５ｂ　前部
１５ｃ　壁部
１５ｄ　凸部
１５ｅ　延設部
１５ｆ　小突起
１５ｇ　下側
１６　　耳朶
１７　　凹部
１７ａ　前端
１８　　軸材
１８ａ　軸材変形例
１９　　樹脂コーティング
２４　　従来のイヤホンカバー」
「【図１】
　　　　　　　　　　　　　　　　　　　　　　　　　　　　　　　　　　　　　　　　　　　　　　　　　　　　　　　　　　　　　　　　　　　」
「【図２】
　　　　　　　　　　　　　　　　　　　　　　　　　　　　　　　　　　　　　　　　　　　　　　　　　　　　　　　　　　　　　　　　　　　」
「【図４】
　　　　　　　　　　　　　　　　　　　　　　　　　　　　　　　　　　　　　　　　　　　　　　　　　　　　　　　　　　　　　　　　　　　」
２　引用発明
（１）イヤホン１
　引用文献１の段落【００１１】と段落【００１７】の図１（ｃ）に関する記載によれば、引用文献１には、「イヤホンカバー２を装着したイヤホン１」が記載されている。
（２）イヤホンカバー２の構成
　上記「イヤホンカバー２」は、【００１５】の記載、及び、図１（ａ）（ｂ）の記載によれば、「係止部材４、ハウジング挿入口１０と出力ホール８を形成したハウジング保持部１４を、シリコンラバー等の軟質部材にて単一構成の一体化としたもの」である。
（３）イヤホン１の構成
　上記「イヤホン１」は、段落【００１２】の記載によれば、「電気音響変換素子３が収納されたハウジング５、コード保持部７、外部接続用コード９」を有するものである。
（４）イヤホンカバー２のイヤホン１への装着
　上記「イヤホンカバー２」と「イヤホン１」は、段落【００１７】の記載によれば、「イヤホンカバー２をイヤホン１のハウジング５の一端開放側からハウジング挿入口１０を当てがい、ハウジング５を被覆する如くして装着」するものである。
（５）係止の構成
　上記「イヤホンカバー２を装着したイヤホン１」は、【００１７】の記載によれば、「係止部材４の先端４ａを耳甲介舟１５の前部１５ｂの側頭部に近接する側の凹部１７に嵌合させて係止状態とした後、耳甲介腔１３にハウジング５を挿入することにより、カバー装着後のイヤホンが耳介１１に取り付けられる」ものである。
（６）引用発明
　以上（１）〜（５）によれば、引用文献１には、図面とともに、次の発明（以下、「引用発明」という。）が記載されていると認められる。
　なお、引用発明の符号（ａ）〜（ｅ）は、説明のために当審において付与したものであり、以下、構成ａ〜構成ｅと称する。
[引用発明]
（ａ）イヤホンカバー２を装着したイヤホン１であって、
（ｂ）イヤホンカバー２は、係止部材４、ハウジング挿入口１０と出力ホール８を形成したハウジング保持部１４を、シリコンラバー等の軟質部材にて単一構成の一体化としたものであり、
（ｃ）イヤホン１は、電気音響変換素子３が収納されたハウジング５、コード保持部７、外部接続用コード９を有し、
（ｄ）イヤホンカバー２をイヤホン１のハウジング５の一端開放側からハウジング挿入口１０を当てがい、ハウジング５を被覆する如くして装着し、
（ｅ）係止部材４の先端４ａを耳甲介舟１５の前部１５ｂの側頭部に近接する側の凹部１７に嵌合させて係止状態とした後、耳甲介腔１３にハウジング５を挿入することにより、カバー装着後のイヤホンが耳介１１に取り付けられる、
（ａ）イヤホンカバー２を装着したイヤホン１。
３　周知のイヤホンの例
（１）実願昭５８−１３３３５９号（実開昭６０−４０１８７号）のマイクロフィルム
「１はイヤホーンユニット本体の収納ケースで全体を肌触りの良いレザー，スポンジ等の被覆体２で包んである。３は収納ケース１から引出したリード線，４は収納ケース１と一体に設けた掛止部材で，その先端部はＵ字状に折曲げられており，耳介５の耳輪５ａと連続し外耳道入口７の上部に突出する軟骨でできた耳輪脚６に掛止するようになっている。」（第２頁第９−１７行）
「本考案イヤホーンは上記の構成であるから，第２図に示すように収納ケース１を外耳道７の入口に一致させて，耳甲介腔８内に装着し，掛止部材４の先端掛止部４ａを耳輪脚６に引掛けると，収納ケースの重量および下方に垂下するリード線３の重量が耳甲介腔８の底部８ａにかかるとともに収納ケース１の後面が耳珠９，対珠１０で押えられるため，収納ケース１は耳甲介腔８内に確実に装着保持される。」（第３頁第３−１１行）
「
　　　　　　　　　　　　　　　　　　　　　　　　　　　　　　　　　　　　　　　　　　　　　　　　　　　　　　　　　　　　　　　　　　　」
（２）特開昭６０−１７３９９５号公報
「上述した構成のイヤースピーカは第３図に示す耳介に装着されるものであるが、耳介には外耳道（耳孔）ａの入口の直前に耳甲介腔ｂなるくぼみ部があり、後頭部側に拡っている。また側頭部のつけ根に耳珠ｃがあり、耳珠ｃと耳甲介腔ｂをはさんで対する所に対珠ｄがあり、結局耳珠ｃと対珠ｄにより外耳道ａの入口と耳甲介腔ｂが覆われる形となっている。前記耳珠c,対珠d,耳甲介腔ｂは主に軟骨によってその形が作られ、それらが表面の弾性をもって皮膚等の表面組織で包まれており、全体として曲げ弾性力を有する。
　従って、上述したイヤースピーカを耳介の耳甲介腔ｂに挿入して装着した場合、前部ケース４の先端Ａは耳甲介腔ｂの壁面に当り、球中心よりある一定角をもった軸B2と球面が交わる付近に外耳道ａの入口が位置することになる。」（第２頁左下欄第１９行−右下欄第１４行）
「
　　　　　　　　　　　　　　　　　　　　　　　　　　　　　　　　　　　　　　　　　　　　　　　　　　　　　　　　　　　　　　　　　　　」
（３）国際公開第２００７／０６３７２６号
「第８図は、第７図で示された実施例２のイヤースピーカが耳甲介腔に保持された状態を示す図である。耳甲介腔に張り出た耳珠４２と対珠４３および対耳輪４４によりハウジング３２の後側が保持され、耳珠４２と対珠４３の間の窪んだ耳珠間切痕４５にハウジング３２と一体化されたコード導出部４６が配置される。コード導出都４６によって隠される耳珠間切痕４５、および耳珠４２と対珠４３によって覆われるハウジング３２とイヤーパッド３３の一部は破線で示される。」（第９頁第３−８行）
「
　　　　　　　　　　　　　　　　　　　　　　　　　　　　　　　　　」
（４）特開２０１０−２８３６４３号公報
「すなわち、耳甲介腔装着型イヤホン装置は、例えば図８に示すように、耳珠１７、対珠１９、耳甲介２１で囲まれた耳甲介腔２３に、振動膜７を耳甲介２１に近接させるようにしてケース本体１を挿入して使用する構成を有している。」（段落【０００６】）
「【図８】
　　　　　　　　　　　　　　　　　　　　　　　　　　　　　　　」
（５）実願昭５６−１９３９５９号（実開昭５８−１０４０７７号）のマイクロフィルム
「外筐本体１０の背部外周面１０ｂは、外筐本体１０を耳甲介腔１３内に挿入したとき、耳珠部２０及び対珠部２１の二箇所Ａ、Ｂで充分に当接支持される」（第５頁第２−５行）
「
　　　　　　　　　　　　　　　　　　　　　　　　　　　　　　　　　　　　　　　　　　　　　　　　　　　　　　　　　　　　　　　　　　　」
第５　本願発明と引用発明との対比 
１　構成Ａ、構成Ｄについて
　構成ａの「イヤホンカバー２を装着したイヤホン１」は、構成Ａの「耳ユニット」に相当し、本願発明と引用発明は、「耳ユニット」である点で共通する。
　しかしながら、本願発明は、「（Ｄ）前記耳ユニットが耳甲介（２４）と耳珠（２１）を有する耳の中へ位置付けられたとき、前記開き（３５２、３５６）が、前記耳珠（２１）によって少なくとも部分的に覆われた耳甲介（２４）の一部であって耳珠（２１）のすぐ内側である耳珠下領域（２８）に進入するように構成され」た「（Ａ）耳珠下（sub-tragus）耳ユニット」であるのに対し、引用発明は、「耳ユニット」とはいえるものの、そのように構成された「耳珠下耳ユニット」といえるものであるか否か明らかではない点で両者は相違する。
２　構成Ｂについて
　構成ｂの「イヤホンカバー２」にもうけられた「係止部材４」は、構成ｅによれば、「先端４ａを耳甲介舟１５の前部１５ｂの側頭部に近接する側の凹部１７に嵌合させて係止状態とした後、耳甲介腔１３にハウジング５を挿入することにより、カバー装着後のイヤホンが耳介１１に取り付けられる」ようにするためのものであり、これにより、段落【００１８】に記載された、「ハウジング５が耳甲介腔１３よりずれたり脱落することがない。また、ハウジング５を無理に押し込むことなくハウジング５を耳甲介腔に係止することができる。」との効果が得られるものであるから、構成Ｂの「耳に対して前記耳ユニットの安定着用を提供するように構成されたアンカー（２００）」に相当するものである。
　したがって、本願発明と引用発明は、構成Ｂを備える点で一致する。
３　構成Ｃ１、Ｃ２について
　構成ｂの「ハウジング挿入口１０と出力ホール８を形成したハウジング保持部１４」は、構成ｃ、ｄによれば、電気音響変換素子３が収納されたハウジング５が、ハウジング挿入口１０から挿入されて装着されているといえ、また、係止部材４と一体化されている。ここで、「電気音響変換素子３」、「係止部材４」は、構成Ｃ１の「音を提供するように構成された変換器」、「アンカー（２００）」に相当するから、構成ｂの「ハウジング保持部１４」は、構成Ｃ１の「音を提供するように構成された変換器を備えていて前記アンカーへ接続されている聴音要素（３５０）」に相当する。
　また、構成ｂの「ハウジング保持部１４」に「出力ホール８」が形成されていることは、構成Ｃ２の「前記聴音要素に開きが設けられている」ことに相当する。
　したがって、本願発明と引用発明は、構成Ｃ１、Ｃ２の点で一致する。
４　構成Ｅについて
　構成ｂの「出力ホール８」（構成Ｅの「開き」に相当）は、カバー装着後のイヤホンが耳介１１に取り付けられたときに、電気音響変換素子３が収納されたハウジング５から音を外耳道１２へ出力するためのものであり、外耳道１２への開口部に面することは明らかである。
　このことは、構成Ｅの「前記開きは、外耳道への開口部に面する」ことに相当する。
　したがって、本願発明と引用発明は、構成Ｅの点で一致する。
５　一致点、相違点
　以上をまとめると、本願発明と引用発明の一致点、相違点は、次のとおりである。
（一致点）
（Ａ’）耳ユニットであって、
（Ｂ）耳に対して前記耳ユニットの安定着用を提供するように構成されたアンカー（２００）と、
（Ｃ１）音を提供するように構成された変換器を備えていて前記アンカーへ接続されている聴音要素（３５０）と、を備えていて、
（Ｃ２）前記聴音要素に開きが設けられている、
（Ａ’）耳ユニット（１００）において、
（Ｅ）前記開きは、外耳道への開口部に面する、
（Ａ’）ことを特徴とする、耳ユニット。
（相違点）
　本願発明は、「（Ｄ）前記耳ユニットが耳甲介（２４）と耳珠（２１）を有する耳の中へ位置付けられたとき、前記開き（３５２、３５６）が、前記耳珠（２１）によって少なくとも部分的に覆われた耳甲介（２４）の一部であって耳珠（２１）のすぐ内側である耳珠下領域（２８）に進入するように構成され」た「（Ａ）耳珠下（sub-tragus）耳ユニット」であるのに対し、引用発明は、「耳ユニット」とはいえるものの、そのように構成された「耳珠下耳ユニット」といえるものであるか否か明らかではない点。
第６　判断
　上記相違点について検討する。
　耳介の構造において、耳甲介腔は、その下部の一部が耳珠に覆われている。
　耳甲介腔に挿入すると、耳甲介腔の耳珠に覆われた部分にも進入する構造のイヤホンはごく普通に知られた周知のものであり（上記「第４　３　周知のイヤホンの例」を参照されたい。）、そのような構造とすることによりイヤホンの装着が確実となることは当業者に明らかなことである。
　したがって、引用発明において、装着を確実とするために、耳甲介腔１３に、ハウジング５（及びハウジング５を被覆するイヤホンカバー２の出力ホール８）を挿入すると、耳珠に覆われた部分にも進入する構造とすること、すなわち、引用発明において、「（Ｄ）前記耳ユニットが耳甲介（２４）と耳珠（２１）を有する耳の中へ位置付けられたとき、前記開き（３５２、３５６）が、前記耳珠（２１）によって少なくとも部分的に覆われた耳甲介（２４）の一部であって耳珠（２１）のすぐ内側である耳珠下領域（２８）に進入するように構成され」た「（Ａ）耳珠下（sub-tragus）耳ユニット」とすることは、当業者が容易に想到し得ることである。
　したがって、本願発明は、引用発明に基づいて当業者が容易に発明をすることができたものである。
第７　むすび
　以上のとおりであるから、本願の請求項１に係る発明は、特許法第２９条第２項の規定により特許を受けることができない。
　したがって、その余の請求項について論及するまでもなく、本願は拒絶すべきものである。
　よって、結論のとおり審決する。